(57)【要約】【課題】光を反射させて発光面に発光させる導光管において、発光ムラの発生を抑止すること。【解決手段】ＬＥＤ６１０から入射された入射光を出射する発光面５９２と、発光面５９２の手前で光路の方向を変化させる反射面５９９と、反射面５９９と対向する位置に形成され、発光面５９２の側部から連なる切欠部５９６を備える。【選択図】図６
2009128828.tif 000002
【特許請求の範囲】
【請求項１】
発光素子から入射された入射光を出射する発光面と、
前記発光面の手前で光路の方向を変化させる第１の反射面と、
前記第１の反射面と対向する位置に形成され、前記発光面の側部から連なる切欠部と、
を備えることを特徴とする、導光管。
【請求項２】
前記切欠部は、前記第１の反射面により方向が変えられる光路の内周側に形成されたことを特徴とする、請求項１に記載の導光管。
【請求項３】
前記第１の反射面は、光路の方向を略直角に変化させることを特徴とする、請求項１に記載の導光管。
【請求項４】
前記発光素子から入射した入射光を前記第１の反射面に向かう方向へ反射させる第２の反射面を更に備え、
前記発光素子から前記第２の反射面に向かう第１の光路と、前記第２の反射面から前記第１の反射面に向かう第２の光路とが略直交し、
前記第２の光路と、前記第１の反射面から前記発光面に向かう第３の光路とが略直交することを特徴とする、請求項１に記載の導光管。
【請求項５】
本体スタンド部と、表示部と、前記本体スタンド部から立設されて前記表示部を支持する支持部と、を備える表示装置であって、
前記本体スタンド部の内部に設けられ、電子部品が実装された回路基板と、
前記回路基板上に実装され、記録媒体が挿入されるスロットと、
前記スロットの側部において前記回路基板上に実装され、前記記録媒体のデータの読出し又は書込みに応じて発光する発光素子と、
前記発光素子から入射された入射光を前記記録媒体の離脱方向へ出射する導光管と、を備え、
前記導光管は、
前記発光素子から入射された入射光を出射する発光面と、
前記発光面の手前で光路の方向を変化させる第１の反射面と、
前記第１の反射面と対向する位置に形成され、前記発光面の側部から連なる切欠部と、
を備えることを特徴とする、表示装置。
【請求項６】
前記導光管は、前記発光素子から前記スロットの側面に沿って上方に出射された光を、前記スロットの上面に沿った方向であって前記記録媒体の挿入方向と直交する方向へ反射させる第２の反射面、を備え、
前記第１の反射面は、前記第２の反射面により反射された光を前記記録媒体の離脱方向へ反射させることを特徴とする、請求項５に記載の表示装置。
【発明の詳細な説明】
【技術分野】
【０００１】
本発明は、導光管及び表示装置に関する。
【背景技術】
【０００２】
従来、例えばパーソナルコンピュータ、モバイル機器等において、メモリースティックなどの記録媒体を挿入してデータの読取り、書き込みを行うものが知られている。このような機器では、メモリースティックからのデータの読取り中、またはデータの書き込み中にＬＥＤを発光させて、データの読取り中、又は書き込み中であることをユーザに喚起している。これにより、読取り、又は書き込み中にメモリースティックが抜き取られてしまうといった誤操作を防ぐことができる。
【発明の開示】
【発明が解決しようとする課題】
【０００３】
これらの機器において、メモリースティックなどの記録媒体が挿入されるスロットと、ユーザに注意を喚起するために発光するＬＥＤとは、同一の回路基板上に配置される。このため、回路基板上のＬＥＤの発光位置と、実際に発光する発光面とは離隔することが多く、基板上にマウントされたＬＥＤからの光を導光管で複数回反射させて、スロットのメモリースティック挿入口の近傍（挿入口の上部）の発光面に発光させることが行われる。
【０００４】
しかしながら、導光管で光を複数回反射させると、発光面を見る方向によっては、発光面に発光ムラが生じてしまう。このため、発光面が暗くなり、ユーザにとって、ＬＥＤが発光しているか否かが認識し難くなるという問題が生じる。
【０００５】
そこで、本発明は、上記問題に鑑みてなされたものであり、本発明の目的とするところは、光を反射させて発光面に発光させる導光管において、発光ムラの発生を抑止することが可能な、新規かつ改良された導光管、及びこの導光管を備えた表示装置を提供することにある。
【課題を解決するための手段】
【０００６】
上記課題を解決するために、本発明のある観点によれば、発光素子から入射された入射光を出射する発光面と、前記発光面の手前で光路の方向を変化させる第１の反射面と、前記第１の反射面と対向する位置に形成され、前記発光面の側部から連なる切欠部と、を備える導光管が提供される。
【０００７】
上記構成によれば、発光素子から入射された入射光は発光面から出射され、発光面の手前で第１の反射面により光路の方向が変化される。そして、第１の反射面と対向する位置に、発光面の側部から連なる切欠部が形成される。従って、切欠部により発光面の側部に反射面が形成されるため、発光面における発光ムラを抑えることが可能となる。
【０００８】
また、前記切欠部は、前記第１の反射面により方向が変えられる光路の内周側に形成されたものであってもよい。かかる構成によれば、切欠部は、第１の反射面により方向が変えられる光路の内周側に形成されるため、反射光が少なくなる光路の内周側に反射面を形成することができ、発光面における発光ムラを抑えることが可能となる。
【０００９】
また、前記第１の反射面は、光路の方向を略直角に変化させるものであってもよい。かかる構成によれば、発光面の手前で光路の方向を略直角に変化させる第１の反射面が設けられた構成において、発光面における発光ムラを抑えることが可能となる。
【００１０】
また、前記発光素子から入射した入射光を前記第１の反射面に向かう方向へ反射させる第２の反射面を更に備え、前記発光素子から前記第２の反射面に向かう第１の光路と、前記第２の反射面から前記第１の反射面に向かう第２の光路とが略直交し、前記第２の光路と、前記第１の反射面から前記発光面に向かう第３の光路とが略直交するものであってもよい。かかる構成によれば、発光素子から出射された光線を第２の反射面で直交方向に反射させることができ、更に第１の反射面で直交方向に反射させることができる。
【００１１】
また、上記課題を解決するために、本発明のある観点によれば、本体スタンド部と、表示部と、前記本体スタンド部から立設されて前記表示部を支持する支持部と、を備える表示装置であって、前記本体スタンド部の内部に設けられ、電子部品が実装された回路基板と、前記回路基板上に実装され、記録媒体が挿入されるスロットと、前記スロットの側部において前記回路基板上に実装され、前記記録媒体のデータの読出し又は書込みに応じて発光する発光素子と、前記発光素子から入射された入射光を前記記録媒体の離脱方向へ出射する導光管と、を備え、前記導光管は、前記発光素子から入射された入射光を出射する発光面と、前記発光面の手前で光路の方向を変化させる第１の反射面と、前記第１の反射面と対向する位置に形成され、前記発光面の側部から連なる切欠部と、を備える表示装置が提供される。
【００１２】
上記構成によれば、本体スタンド部と、表示部と、前記本体スタンド部から立設されて前記表示部を支持する支持部と、を備える表示装置において、本体スタンド部の内部に電子部品が実装された回路基板が設けられ、回路基板上に記録媒体が挿入されるスロットが実装され、記録媒体のデータの読出し又は書込みに応じて発光する発光素子は、スロットの側部において回路基板上に実装される。導光管は、発光素子から入射された入射光を前記記録媒体の離脱方向へ出射する。発光素子から入射された入射光は導光管の発光面から出射され、発光面の手前で第１の反射面により光路の方向が変化される。そして、第１の反射面と対向する位置に、発光面の側部から連なる切欠部が形成される。従って、切欠部により発光面の側部に反射面が形成されるため、発光面における発光ムラを抑えることが可能となる。
【００１３】
また、前記導光管は、前記発光素子から前記スロットの側面に沿って上方に出射された光を、前記スロットの上面に沿った方向であって前記記録媒体の挿入方向と直交する方向へ反射させる第２の反射面、を備え、前記第１の反射面は、前記第２の反射面により反射された光を前記記録媒体の離脱方向へ反射させるものであってもよい。かかる構成によれば、第２の反射面を設けたことにより、発光素子からスロットの側面に沿って上方に出射された光を記録媒体の離脱方向へ出射することが可能となる。
【発明の効果】
【００１４】
本発明によれば、光を反射させて発光面に発光させる導光管において、発光ムラの発生を抑止することが可能な、新規かつ改良された導光管、及びこの導光管を備えた表示装置を提供することにが可能となる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
［表示装置の全体構成］
図１は、本発明の一実施形態に係る表示装置１０００の外観を示す概略斜視図である。ここで、図１（Ａ）は、正面右上から表示装置１０００を見た状態を示す概略斜視図である。また、図１（Ｂ）は、表示装置１０００の背面、右上から表示装置１０００を見た状態を示す斜視図である。また、図２は、正面左側から表示装置１０００を見た状態を示す概略斜視図である。
【００１７】
図１及び図２に示すように、本実施形態の表示装置１０００は、本体スタンド部１００、アーム部（支持部）２００、及び表示ディスプレイ部（表示部）３００を備えて構成されている。表示装置１０００は、例えばテレビ放送の映像などを受信して表示ディスプレイ部３００の表示画面３００ａに表示するものである。
【００１８】
表示ディスプレイ部３００は、有機エレクトロルミネセンス(EL; Electro Luminescence)現象を利用して画像を表示する表示パネル（有機ＥＬパネル）３２０を備えている。有機ＥＬパネル３２０は、自発光素子である複数の有機ＥＬ素子を有して構成され、バックライトなどの構成が不要であるため、その厚さは十分に薄く構成される。図２に示すように、本実施形態の表示ディスプレイ部３００は、その厚さｔが数ｍｍ程度（３ｍｍ程度）以下に抑えられており、非常に厚さの薄い薄型パネルとされている。
【００１９】
アーム部２００は、本体スタンド部１００の後方に１箇所設けられ、本体スタンド部１００から上方に向けて立設されている。アーム部２００は、表示装置１０００を正面から見た場合に、本体スタンド部１００の横方向（水平方向）の中心よりも右側に設けられており、表示ディスプレイ部３００の横方向の中心よりも右側に連結されている。このように、本実施形態の表示装置１０００では、表示ディスプレイ部３００の水平方向の中心よりも左右いずれかの端部側にアーム部２００が設けられ、表示ディスプレイ部３００が片持ちで支持されている。
【００２０】
液晶ディスプレイの場合、バックライトが必要であるため、表示ディスプレイ部の厚さが厚くなり、重量も重くなる。特に、本実施形態のように、コンピュータ用のディスプレイではなく、テレビ映像を表示するディスプレイとしての使用を想定した場合、テレビ受像機としての画質を確保するためには、コンピュータ用ディスプレイよりも多くのバックライトを配置する必要がある。また、液晶ディスプレイには、バックライトの他に、バックライトを制御するためのインバータも必要になる。このため、液晶ディスプレイの場合、重量が重くなり、表示ディスプレイ部を片持ちで支持するためには、アーム部を含めたディスプレイ部の剛性を大幅に高める必要があり、構造の複雑化、重量の増大が想定される。従って、液晶ディスプレイを片持ちで支持することは、ユーザの利便性、製造コスト等を考慮すると現実的ではない。
【００２１】
一方、有機ＥＬパネルは、自発光素子である有機ＥＬ素子からなるため、バックライトや、これに付随するインバータなどの構成部材は不要であり、薄板のガラス製のパネルのみで軽量に構成することができる。従って、本実施形態によれば、表示ディスプレイ部３００自体を非常に軽量に構成することができ、表示ディスプレイ部３００を片持ちで支持することが可能となる。
【００２２】
表示ディスプレイ部３００は、アーム部２００との連結部を中心として、図２の矢印Ａ１方向に回動可能とされており、ユーザは、表示ディスプレイ部３００のチルト位置を所望の角度に設定することができる。
【００２３】
従来の表示パネルにおいて、表示パネルを支持する部材は、一点支持の場合は表示パネルの横方向の中央部分を下側から支持している。また、２点支持の場合は、表示パネルの横方向の両端近傍を下側から支持している。本実施形態では、アーム部２００を表示ディスプレイ部３００の横方向の中央部分からずらした配置し、表示ディスプレイ部３００を片持ちで支持するため、アーム部２００がユーザの視野から外れ、ユーザに対して表示画面３００ａのみを独立して認識させることができる。これにより、ユーザに対しては、あたかも本体スタンド部１００上に表示ディスプレイ部３００がアーム部２００を介さずに浮いているような印象を与えることができる。従って、表示ディスプレイ部３００を片持ちで支持することにより、ユーザに対して表示画面３００ａのみを独立して注視させることが可能となる。
【００２４】
また、本体スタンド部１００の中央にアーム部２００の根元を連結する必要がなくなり、アーム部２００の設置の自由度が向上する。従って、本体スタンド部１００の内部構造、基板の配置等を考慮して、本体スタンド部１００に対するアーム部２００の設置位置を決めることが可能となり、設計の自由度を高めることができる。これにより、本体スタンド部１００の内部構造を考慮した上で、最も効率良く構成部材を配置することが可能となり、表示装置１０００の大きさを最小限に抑えることも可能となる。また、アーム部２００が本体スタンド部１００の中央に設置されないため、本体スタンド部１００の上面に有効なスペースを広くとることができ、本体スタンド部１００の上面に表示部、操作ボタン、ＬＥＤ表示灯などを自由に配置することも可能となる。
【００２５】
また、図１及び図２に示すように、アーム部２００は、本体スタンド部１００の後方から表示ディスプレイ部３００の裏面に向かって傾斜して設けられている。図２において、鉛直方向に対するアーム部２００の傾斜角度θは、４５°〜６０°程度の値とされる。これにより、表示ディスプレイ部３００を正面から見た場合に、アーム部２００は表示ディスプレイ部３００の裏に隠れてしまい、アーム部２００がユーザの視野内で認識されることが抑えられる。従って、アーム部２００を表示ディスプレイ部３００の中心からずらして配置したこととの相乗効果により、アーム部２００がユーザの視界内に認識されることを確実に抑えることができる。
【００２６】
このため、ユーザの視野には、表示ディスプレイ部３００と本体スタンド部１００のみが映り、アーム部２００は殆ど視野に入らないため、ユーザが表示ディスプレイ部３００と本体スタンド部１００の接続状態を直接的に認識することが抑えられる。従って、ユーザにとっては、あたかも空間に表示ディスプレイ部３００が浮いているような感覚が生じる。
【００２７】
また、上述したように、本実施形態の構成では、表示ディスプレイ部３００の厚さが数ｍｍ程度と非常に薄く構成されているため、ユーザにとって表示ディスプレイ部３００の軽量感が強調されて認識される。従って、ユーザにとって、空間に表示ディスプレイ部３００が浮いている感覚との相乗効果により、非常に浮遊感、軽量感の溢れる表示ディスプレイ部３００が提供される。
【００２８】
これにより、ユーザは、空間に浮遊しているように認識される表示ディスプレイ部３００の表示内容のみを注視することができ、他の構造物に気をとられることなく、集中して表示内容を見ることができる。従って、ユーザに表示画面３００ａが浮いている感じを演出しつつ、良好なデザイン性を維持することが可能となるとともに、表示画面３００ａの視認性を大幅に向上させた表示装置１０００を提供することが可能となる。
【００２９】
［本体スタンド部の構成］
図３は、本体スタンド部１００の内部構成を示す分解斜視図である。本体スタンド部１００には、衛星放送（ＢＳ，ＣＳ）、地上デジタル波などのチューナー、ＬＡＮ、ＨＤＭＩ、ＵＳＢなどの各種端子が組み込まれており、裏面側には、地上デジタル波を受信するためのロッドアンテナ１０４（図１（Ｂ）参照）が設けられている。また、本体スタンド部１００には、スピーカーボックス、操作ボタンなどが組み込まれている。図３に示すように、本体スタンド部１００の内部には、下側から順に、ボトムカバー５５０、メイン基板（Ｏ基板）５６０、冷却ユニット５７０、トップカバーブロック５８０が配置されている。
【００３０】
図４は、図３中の矢印Ａで示す領域を拡大して示す斜視図である。図４は、矢印Ａで示す領域において、ボトムカバー５５０上にメイン基板５６０、冷却ユニット５７０が装着され、更に背面カバー６００（図３において不図示）が装着された状態を示している。図４に示すように、領域Ａのメイン基板５６０上には、メモリースティックのスロット５８０が実装されている。スロット５８０には、本体スタンド部１００の後ろ側からメモリースティックが挿入される。
【００３１】
図５は、図４の状態から背面カバー６００を取り外した状態を示している。スロット５８０の上面から側面にかけての領域には、導光管５９０が配置されている。導光管５９０には、本体スタンド部１００の後ろ側に向けて発光面５９２が突出している。導光管５９０は、例えばＰＭＭＡなどのアクリル樹脂材料から構成される。
【００３２】
背面カバー６００には、メモリースティックが挿通される開口６０２が設けられている。また、背面カバー６００には、発光面５９２が挿通される開口６０４が設けられている。
【００３３】
図６は、導光管５９０及びその周辺を詳細に示す斜視図である。また、図７は、導光管５９０及びスロット５８０を示す上面図である。図６に示すように、メイン基板５６０上にはＬＥＤ６１０が実装されている。スロット５８０の側面において、導光管５９０の下端はＬＥＤ６１０の上部に配置されている。ＬＥＤ６１０は、スロット５８０にメモリースティックが挿入されて、メモリースティックからデータが読み出されている際に、データ読み出し中であることをユーザに知らせるため、発光するものである。
【００３４】
また、導光管５９０には取付部５９４が設けられている。導光管５９０は、取付部５９４が背面カバー６００に固定されることで、図６に示す所定位置に配置される。
【００３５】
ＬＥＤ６１０を点灯すると、上方に向かう光は導光管５９０の曲面５９８及び曲面５９９で反射して、図６及び図７中に示す矢印方向に進む。これにより、発光面５９２が発光し、ユーザはメモリースティックからデータが読み出していることを確認することができ、データ読出し中にメモリースティックが離脱されるなどの誤操作が行われることを抑止できる。
【００３６】
このように、スロット５８０とＬＥＤ６１０が同一のメイン基板５６０上に配置される場合は、導光管５９０により、複数回に渡って光を反射させ、光路を変化させることで、スロット５８０上で表示装置１０００の後方に面する発光面５９２を発光させることができる。一方、複数回に渡って光を反射させる方法では、光路が比較的複雑になるため、発光面５９２での発光ムラが生じることがある。
【００３７】
このため、本実施形態では、図６及び図７に示すように、導光管５９０の発光面５９２と隣接する位置に切欠部５９６を設けている。これにより、発光面５９２と隣接して反射面５９６ａが形成される。
【００３８】
図８は、切欠部５９６を設けたことにより発光ムラが抑制される原理を示す模式図であって、図７と同様に導光管５９０を上部から見た状態を示している。図８（Ａ）の矢印Ｂ方向、すなわち、表示装置１０００の後方斜め右方向から発光面５９２を見ると、切欠部５９６を設けたことにより、反射面５９６ａの長さｄ１を十分に長くすることができ、反射面５９６ａを広く確保することができる。これにより、発光面５９２の全体が明るく見え、発光ムラを消すことができる。なお、長さｄ１は、発光部５９２を斜め方向から見た場合に、発光ムラの抑制の度合いに応じて適宜設定することができ、ｄ１の値を大きくするほど発光ムラの発生を抑えることができる。
【００３９】
一方、図８（Ｂ）に示すように、切欠部５９６を設けていない場合は、反射面の長さｄ２が短くなり、ｄ２の区間のみ光が反射して明るく見えるため、発光面５９２の左側だけが明るく見え、発光ムラが目立つようになる。
【００４０】
従って、本実施形態の構成によれば、切欠部５９６を設けることで、発光面５９２の発光ムラを確実に抑えることができる。なお、切欠部５９６を設けることは、金型構造上、容易に行うことができる。
【００４１】
なお、図８（Ａ）の矢印Ｃ方向から発光面５９２を見た場合は、反射面５９６ａと対向する導光管５９０の外形面が広く確保されており、この外形面で光が反射されるため、発光ムラは生じにくい。また、発光面５９２を正面から見た場合は、反射面５９９で光が反射されるため、やはり発光ムラは生じにくい。従って、特に反射面５９９により光路の方向が変えられている部位において、光路の内周側に切欠部５９６を設けることで、発光面５９２の発光ムラを確実に抑えることが可能である。
【００４２】
以上説明したように本実施形態によれば、ＬＥＤ６１０から入射した光を反射させて発光面５９２から発光させる導光管５９０において、発光面５９２の近傍に切欠部５９６を設けたため、発光面５９２の近傍に反射面５９６ａを広く確保することができる。これにより、発光面５９２の発光ムラを確実に抑えることが可能となる。
【００４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４４】
【図１】本発明の一実施形態に係る表示装置の外観を示す概略斜視図である。
【図２】正面左側から表示装置を見た状態を示す概略斜視図である。
【図３】本体スタンド部の内部構成を示す分解斜視図である。
【図４】図３中の矢印Ａで示す領域を拡大して示す斜視図である。
【図５】図４の状態から背面カバーを取り外した状態を示している。
【図６】導光管及びその周辺を詳細に示す斜視図である。
【図７】導光管及びスロットを示す上面図である。
【図８】切欠部を設けたことにより発光ムラが抑制される原理を示す模式図である。
【符号の説明】
【００４５】
１０００    表示装置
１００    本体スタンド部
２００    アーム部
３００    表示部
５６０    メイン基板
５８０    スロット
５９０    導光管
５９２    発光面
５９８，５９９    曲面（反射面）
５９６    切欠部
６１０    ＬＥＤ
【図１】
2009128828.tif 000003
【図２】
2009128828.tif 000004
【図３】
2009128828.tif 000005
【図４】
2009128828.tif 000006
【図５】
2009128828.tif 000007
【図６】
2009128828.tif 000008
【図７】
2009128828.tif 000009
【図８】
2009128828.tif 000010